(57)【特許請求の範囲】
【請求項１】
長手軸線に沿って配置されそして第１位置から第２のもっと高い位置まで延在する湾曲した装入物支持表面を内部に配置しそして装入物投入端と軸線方向に離間した装入物放出端とを備える容器にして、該容器を設置表面に対して弾力的に取付けるための手段を含む容器と、前記容器内の装入物を転動移動行路において該容器の装入物投入端から装入物放出端に向かう方向に差し向ける力を発生せしめるための振動発生手段と、装入物が前記転動移動行路に沿って移動するに際して装入物の転動を促進するために前記振動発生手段により発生せしめられる力に加えて装入物に追加の力を適用する転動補助手段であって、該追加の力を装入物に対し主に該装入物の重心より下方の位置で適用する転動補助手段とを備える振動装置。
【請求項２】
転動補助手段が装入物に長手軸線にほぼ垂直な成分を有する方向において運動エネルギーを付与するための手段を含む請求項１の振動装置。
【請求項３】
転動補助手段が装入物にショットを長手軸線にほぼ垂直な成分を有するように差し向けるためのショットブラスト機構を含む請求項１の振動装置。
【請求項４】
転動補助手段が装入物に液体を長手軸線にほぼ垂直な成分を有するように差し向けるための液体噴射機構を含む請求項１の振動装置。
【請求項５】
振動発生手段により発生せしめられる力が装入物を上方且つ前方に移動せしめて転動移動行路を創出する請求項１の振動装置。
【請求項６】
装入物支持表面に隣り合いそして容器の長手軸線に平行な平面に載る全体に水平なベース板を含む請求項１の振動装置。
【請求項７】
装入物が装入物投入端から装入物放出端まで移動するに際して容器内で転動される媒体と部品を含む請求項１の振動装置。
【請求項８】
全体に水平であるが下方に傾斜した長手軸線に沿って配置される湾曲した装入物支持表面を内部に配置しそして装入物投入端と軸線方向に離間した装入物放出端とを備える容器にして、該容器を設置表面に対して弾力的に取付けるための手段を含む容器と、前記容器内の装入物を前記湾曲した装入物支持表面に対して上方且つ前方に移動せしめる力を転動移動行路において該容器の装入物投入端から装入物放出端に向かう方向に差し向けられるように発生せしめるための振動発生手段と、装入物が前記転動移動行路に沿って移動するに際して装入物の転動を促進するために前記振動発生手段により発生せしめられる力に加えて装入物に力を適用する転動補助手段にして、装入物に対し、該装入物の重心からずれた位置及び方向で、かつ、全体に水平面において前記全体に水平であるが下方に傾斜した長手軸線にほぼ垂直な成分を有する方向に運動エネルギーを付与するための手段を含む転動補助手段とを備える振動装置。
【請求項９】
転動補助手段が装入物が転動移動行路に沿って移動するに際して少なくとも一つの位置から装入物にショットを差し向けるためのショットブラスト機構を含む請求項８の振動装置。
【請求項１０】
転動補助手段が装入物に液体を前記長手軸線にほぼ垂直な成分を有するように差し向けるための液体噴射機構を含む請求項８の振動装置。
【請求項１１】
装入物支持表面に隣り合いそして前記全体に水平であるが下方に傾斜した長手軸線に平行な平面に載る全体に水平なベース板を含む請求項８の振動装置。
【請求項１２】
装入物が装入物投入端から装入物放出端まで容器を通して移動する間容器内で転動される砂と鋳物を含む請求項１１の振動装置。
【請求項１３】
容器が全体的に円筒状でありそして湾曲した装入物支持手段が該円筒状容器の内部に配置される請求項８の振動装置。
【請求項１４】
全体的に円筒状容器が該容器の上面において容器内の装入物の転動により生じた粉塵を除去するための少なくとも一つの真空排気口を有する請求項１３の振動装置。
【請求項１５】
装入物が装入物投入端から装入物放出端まで容器を通して移動する間容器内で転動される砂と鋳物を含む請求項１４の振動装置。
【請求項１６】
全体に水平であるが下方に傾斜した長手軸線に沿って配置される湾曲した装入物支持表面を内部に配置しそして全体的に円筒状であり且つ全体に水平であるが下方に傾斜した長手軸線に沿って配置される容器であって、該容器は更に装入物支持表面に隣り合いそして前記容器の全体に水平であるが下方に傾斜した長手軸線に平行な平面に載る全体に水平なベース板を含み、装入物投入端と軸線方向に離間した装入物放出端とを備え、該容器を設置表面に対して弾力的に取付けるための手段を含む容器と、前記容器内の装入物を前記湾曲した装入物支持表面に対して上方且つ前方に移動せしめる力を転動移動行路において該容器の装入物投入端から装入物放出端に向かう方向に差し向けられるように発生せしめるための振動発生手段と、装入物が前記転動移動行路に沿って移動するに際して装入物の転動を促進するために前記振動発生手段により発生せしめられる力に加えて装入物に力を適用する転動補助手段にして、全体に水平面において前記湾曲した装入物支持手段の全体に水平であるが下方に傾斜した長手軸線にほぼ垂直な成分を有する方向に運動エネルギーを付与するための手段であって、装入物が転動移動行路に沿って移動するに際して少なくとも一つの位置から予備選択された弧形範囲内で装入物にショットを全体に水平面において差し向け、前記振動発生手段が装入物を上方に且つ前方に押進するに際して装入物を前記湾曲した装入物支持表面に押しつける運動エネルギーを発生して反転作用を生み出すショットブラスト機構を含む運動エネルギー付与手段を含む転動補助手段とを備え、装入物が装入物投入端から装入物放出端まで容器を通して移動する間容器内で転動される砂と鋳物を含み、鋳物が前記容器の装入物投入端から装入物放出端まで移動する間に前記反転作用が鋳物の表面全体を処理のためショットに曝露せしめることを特徴とする振動装置。
【請求項１７】
全体的に円筒状容器が該容器の上面において容器内の装入物の転動により生じた粉塵を除去するための少なくとも一つの真空排気口を有する請求項１６の振動装置。
【請求項１８】
前記ベース板における複数のショット落下穴と、容器の底部におけるショット放出開口と、容器の外側で該ショット放出開口の下側に配置されるショットコンベヤとを含む請求項１６の振動装置。
【請求項１９】
ショットコンベヤが円筒状容器からショットブラスト機構と連通する再使用可能なショットから砂及び破砕したショットを分離するためのショット分離手段まで延在する請求項１８の振動装置。
【請求項２０】
少なくとも湾曲した装入物支持表面と全体に水平なベース板とがそこに接触する偏向したショットの衝撃に耐えるようにマンガンでめっきされる請求項１６の振動装置。
【請求項２１】
円筒状容器の内面がそこに接触するショットブラスト機構からの偏向したショットの衝撃に耐えるようにマンガンでめっきされる請求項１６の振動装置。
【請求項２２】
円筒状容器に沿って長手方向に隔置される複数のショットブラスト機構を含み、その各々がモータにより駆動されるショットブラストホイールを含む請求項１６の振動装置。
【請求項２３】
全体に水平であるが下方に傾斜した長手軸線に沿って配置される湾曲した装入物支持表面を装備する容器にして、該容器が全体に水平であるが下方に傾斜した長手軸線に沿って配置されそして重心を該長手軸線から外れた位置に有する円筒状ドラムでありそして該湾曲した装入物支持表面が該円筒状ドラムの内部に配置され、該円筒状ドラムは更に装入物支持表面に隣り合いそして前記ドラムの全体に水平であるが下方に傾斜した長手軸線に平行な平面に載るベース板を含み、装入物投入端と軸線方向に離間した装入物放出端とを備え、該ドラムを設置表面に対して弾力的に取付けるための手段を含む円筒状ドラムから成る容器と、前記円筒状ドラム内の装入物を前記湾曲した装入物支持表面に対して上方且つ前方に移動せしめる振動力を転動移動行路において該円筒状ドラムの装入物投入端から装入物放出端に向かう方向に差し向けられるように前記円筒状ドラムの長手軸線からのみならず重心からも外れた直線路に沿って発生せしめるための振動発生手段と、装入物が前記転動移動行路に沿って移動するに際して装入物の転動を促進するために前記振動発生手段により発生せしめられる力に加えて装入物に力を適用する転動補助手段にして、全体に水平面において前記湾曲した装入物支持手段の全体に水平であるが下方に傾斜した長手軸線にほぼ垂直な成分を有する方向に運動エネルギーを付与するための手段であって、装入物が転動移動行路に沿って移動するに際して少なくとも一つの位置から予備選択された弧形範囲内で装入物にショットを水平面において差し向けるショットブラスト機構を含む運動エネルギー付与手段を含む転動補助手段とを備え、前記ベース板における複数のショット落下穴と、容器の底部におけるショット放出開口と、円筒状ドラムの外側で該ショット放出開口の下側に配置されそして円筒状ドラムからショットブラスト機構と連通する再使用可能なショットから砂及び破砕したショットを分離するためのショット分離手段まで延在するショットコンベヤとを含み、装入物が装入物投入端から装入物放出端まで円筒状ドラムを通して移動する間円筒状ドラム内で転動される砂と鋳物を含むことを特徴とする振動装置。
【請求項２４】
振動力の直線路が重心の前記円筒状ドラムの全体に水平であるが下方に傾斜した長手軸線とは反対側を通るものとし、湾曲した装入物支持表面における各点を円弧部分に載る行路に沿って回動せしめる請求項２３の振動装置。
【請求項２５】
円弧部分が湾曲した装入物支持表面に沿わないように該円弧部分の各々が前記円筒状ドラムの全体に水平であるが下方に傾斜した長手軸線からはずれそして重心から離れた側にある位置において位置付けられる一つの回転中心を有する請求項２４の振動装置。
【請求項２６】
円弧部分の各々が前記円筒状ドラムの全体に水平であるが下方に傾斜した長手軸線の重心から反対側においてそして振動力直線路に垂直で且つ円筒状ドラムの重心を通る直線に載る回転中心を有する請求項２４の振動装置。
【請求項２７】
弾力取付け手段が円筒状容器を無拘束振動運動しうるように取付ける請求項２３の振動装置。
【発明の詳細な説明】
【０００１】
【産業上の利用分野】
本発明は、振動装置に関するものであり、特には様々の材料及び用途のための振動式タンブリング（転動、混転）装置に関するものである。
【０００２】
【従来の技術】
斯界で知られるように、装入物を混合し、転動せしめそして／または混和することが必要な多くの用途が存在する。同様に、鋳物、成型物、バルク装入物のような部品の、加工媒体を伴って或いは伴わずしての、清浄化乃至振盪を必要とする多くの製造プロセスが存在する。両型式の用途に対して、所期の目的を実現するのにタンブリング装置を利用することが有用である。
【０００３】
しばらく前、タンブリング装置に振動運動を付加することにより鋳物或いは成型部品において改善された仕上げが得られることが見出された。例えば、本件出願人にかかわる米国特許第３，１５７，００４号において、トラニオンに装着されたＵ字形タブ（桶のような容器）を使用する改善された磨き仕上げ装置が開示され、ここでは振動力がタブにその重心を通るように直接適用された。Ｕ字形タブがトラニオンを中心として傾斜されるとき、タブから媒体及び部品を放出する目的で振動力が使用された。
【０００４】
タンブリング装置におけるこの振動運動の使用から部品の磨き仕上げの改善がもたらされたが、その他の点で幾つかの問題が依然としてまだ残っている。それら問題として、支承部における摩耗並びに所望の仕上げを得るまでにかかる時間が長いことを挙げることができる。こうした問題を克服するために、本件出願人の米国再発行特許第Ｒｅ．３３，５４２号に詳しく記載されるような振動式タンブリング装置が着想されそして開発された。
【０００５】
その発明に従えば、容器がその中心からはずれた点を中心として弧状の或いは円形の行路の小さな円弧部分に沿って振動せしめられる。容器内の装入物は、装入物と容器表面との摩擦係数によるのみならず、円弧部分行路であるが故に或る与えられた地点において装入物と容器表面との間での衝突角度によっても移動せしめられ、搬送されそして転動せしめられる。非常に満足すべき転動作用がこの改善された構成からもたらされたが、装置を一層完璧とするためになお注意を払うべきある種の問題が認められた。
【０００６】
特に、本件出願人の米国再発行特許第Ｒｅ．３３，５４２号は容器の内面がコーティング被覆或いはライニング内張りされうることを教示した。詳しくは、このコーティング或いはライニングは特定の摩擦係数を有する材料からなるものとして教示され、これは代表的にゴム或いは革のような材料から構成された。これら材料は搬送作用を助成しまた部品の転動作用を改善した。加えて、容器の内面におけるライニングは摩耗すれば交換することのできる摩耗表面を構成するものとされた。
【０００７】
残念ながら、その摩擦係数により使用される代表的材料は通常ある種の望ましからざる物理的特性を有する。例えば、ゴムや革は、他の点では所期の目的に適合するが、高温に耐えることができず、従って高温の鋳物は、そうした振動式タンブリング装置おいてライニングに実質的な損傷を招くことなしには速やかに処理できない。更に、装置おいて処理される装入物の種類によっては、ライニングの有用寿命は一般に望ましいと考えられるより短くなろう。
【０００８】
加えて、混合、磨き仕上げ、混和等の作用を最大限とするために、装置内の装入物が最大限可能な転動作用を受け得ることが所望される。従って、振動式タンブリング装置が全体的に水平に配列される円筒状容器を使用するとき、装入物が容器の内面に沿って可能な限り最大程度に上方に振動せしめられ、その後装入物が重力により容器の下方地点にまで戻って落下することが所望される。しかし、注意深く選択されたライニング、例えばゴム或いは革を使用することにより搬送作用は増進するが、装入物を更にもっと高い点まで搬送しうることがまだ依然として所望されている。
【０００９】
この目的を達成するために、本件出願人の米国特許第４，９２６，６０１号は装入物支持表面を複数の全般に周回的な平行なトラフを有するものとして教示した。これらトラフは、より詳しくは、円弧状の装入物支持表面の全体に水平な長手軸線の周囲にそしてそれに沿って離間して配置されるものということができる。装入物を一層高い地点に搬送することは好首尾に達成されたが、容器内で装入物の転動作用をもっと増進することはまだ依然として所望されている。
【００１０】
【発明が解決しようとする課題】
本発明は、上記問題の一つ以上を新規でそして効率的な態様で克服することを目的とする。本発明の主たる課題は、装入物を装置の一端からその他端まで搬送するための装入物支持表面を備える振動式タンブリング装置の改善を提供することである。本発明のまた別の課題は、容器内の装入物が装入物投入端からその装入物放出端に向かう方向に転動行路において差し向けられるような振動式タンブリング装置の改善を提供することである。追加的に、本発明の課題は、転動作用を改善するために、振動発生手段により発生せしめられる力に加えて装入物に力を適用するための転動補助手段を具備する改善された振動式タンブリング装置を開発することである。
【００１１】
【課題を解決するための手段】
本発明は、全体的に長手軸線に沿って配置される装入物支持表面を具備する容器を備えた振動装置に関係する。容器は、装入物投入端とそれから軸線方向に離間した装入物放出端とを備えそして設置表面に対して弾力的に取付けられる。容器内の装入物は、装入物投入端から装入物放出端に向かう方向において転動移動行路において差し向けられる。装入物の転動移動は、容器に作用する振動発生手段により発生せしめられる容器への力により生ぜしめられる。更に追加的に、本発明に従えば、装置は、装入物が転動移動行路に沿って移動するに際して装入物の転動を促進するために、振動発生手段により発生せしめられる力に加えて、装入物に力を適用するための転動補助手段を含んでいる。
【００１２】
即ち、本発明は、長手軸線に沿って配置されそして第１位置から第２のもっと高い位置まで延在する装入物支持表面を内部に配置しそして装入物投入端と軸線方向に離間した装入物放出端とを備える容器にして、該容器を設置表面に対して弾力的に取付けるための手段を含む容器と、前記容器内の装入物を転動移動行路において該容器の装入物投入端から装入物放出端に向かう方向に差し向ける力を発生せしめるための振動発生手段と、装入物が前記転動移動行路に沿って移動するに際して装入物の転動を促進するために前記振動発生手段により発生せしめられる力に加えて装入物に力を適用する転動補助手段とを備える振動装置を提供するものであり、好ましくは転動補助手段は装入物に長手軸線にほぼ垂直な成分を有する方向において運動エネルギーを付与するための手段を含み、特には転動補助手段が装入物にショットを長手軸線にほぼ垂直な成分を有するように差し向けるためのショットブラスト機構もしくは転動補助手段が装入物に液体を長手軸線にほぼ垂直な成分を有するように差し向けるための液体噴射機構を含む。
【００１３】
【作用】
本発明の例示具体例において、転動補助手段は、全体に水平であるが下方に傾斜した長手軸線に対してほぼ垂直な成分を有する方向に装入物に運動エネルギーを付与するための手段を含んでいる。詳しくは、転動補助手段は好都合には、装入物にショット或いは液体を差し向けるためのショットブラスト機構或いは液体噴射機構を含んでいる。転動補助手段の作用を助成するために、振動発生手段により発生せしめられる力は装入物を容器に対して上方に且つ前方への装入物の移動を生ぜしめて、その転動移動行路を創出する。
【００１４】
加えて、装置は好ましくは、湾曲した装入物支持表面に隣り合いそして容器の全体的に水平であるが下方に傾斜した長手軸線に平行な平面に載る全体に水平なベース板を含んでいる。これに関連してそして本発明の好ましい形態において、装入物は有益には、容器を通して装入物投入端から装入物放出端まで移動するに際して容器内で転動される媒体及び部品を含んでいる。
【００１５】
より好ましい具体例において、容器は全体的に円筒状のドラムでありそして容器はまた全体的に水平であるが下方に傾斜した長手軸線をそれからずれた重心と併せて有している。好ましくは、装入物支持表面は湾曲されもしくは弧状でありそして全体を容器内に配置されている、即ち装入物支持表面は容器或いはドラムの内面を構成するか或いは当該内面より内側に位置付けられる別個の表面を構成する。この構成でもって、振動発生手段は有益には、長手軸線からのみならず容器或いはドラムの重心からも外れた直線行路に沿って差し向けられる振動力を発生する。
【００１６】
この態様で、振動力は、容器或いはドラム内の装入物が転動移動行路において差し向けられるように挿入物を湾曲した装入物支持表面に対して上方及び前方に移動せしめるようなものである。これは転動補助手段が搬送されている装入物に運動エネルギーを付与することを可能ならしめる。転動補助手段は有益には、湾曲装入物支持表面の全体に水平であるが下方に傾斜した長手軸線にほぼ垂直な成分を有する方向において全体的に水平面において装入物に運動エネルギーを付与するための手段を含んでいる。より詳しくは、ショットブラスト機構が設けられて、装入物が移動行路に沿って移動するに際して少なくとも一つの位置から全体に水平面において予備選択された弧形範囲内で装入物に差し向けられるショットの運動エネルギーを通して力を付与する。
【００１７】
より好ましい具体例において、振動装置は、ベース板内に複数のショット落下穴と、円筒状容器或いはドラムの底部分におけるまたは底における一つの放出開口と、円筒状容器或いはドラムのの外側に放出開口の下側に配置されるショットコンベヤとを含んでいる。好ましくは、ショットコンベヤは円筒状容器或いはドラムに隣り合う地点から再使用可能なショットから例えば砂や破砕したショットを分離するためのショットブラスト機構と連通するショット分離手段まで伸延する。
【００１８】
これと関連して、ショットブラスト機構からのショットの、或いは別様には液体噴射機構からの液体の運動エネルギーは、振動発生手段が装入物を上方にそして前方に押しやって反転作用を発生せしめるに際して、湾曲した装入物支持表面に装入物を押しつける。一つの有益な適用例において装入物は投入端から放出端まで容器を通して移動する間容器内で転動されるべき砂と鋳物とを含み、この用途に対して、反転作用は鋳物が容器の投入端から放出端まで移動する間に鋳物の全表面をショットに曝露せしめて効果的に処理を行う。
【００１９】
本発明の最も好ましい具体例において、振動力の直線路は、重心の、円筒状容器或いはドラムの全体に水平であるが下方に傾斜した長手軸線とは反対の側を通るものとされ、湾曲した装入物支持表面の各点を円弧部分に載る行路に沿って回動せしめる。円弧部分は全体に水平であるが下方に傾斜した長手軸線からずれたそして重心から遠い側にある位置において位置決めされる回転中心を有しているので、円弧部分は湾曲した装入物支持表面に沿わない。好ましくは、円弧部分の各々は全体に水平であるが下方に傾斜した長手軸線の円筒状容器或いはドラムの重心とは反対側に回転中心を有しそして回転中心は振動力の直線路に垂直に伸びそして円筒状容器或いはドラムの重心を通る直線上に載る。
【００２０】
【実施例】
図１〜３を参照すると、番号１０は本発明に従う振動式タンブリング装置の全体を表す。振動式タンブリング装置１０は、例示具体例では湾曲したそして長手軸線１６に沿って配置される装入物支持表面１４を内部に有する容器１２を含んでいる。容器１２は好ましくは、全体的に円筒状である、即ち全体的にドラムの形状にある。容器１２はまた、装入物支持表面１４の長手軸線１６からずれた長手軸線１８と長手軸線１８からやはり外れた重心２０とを有する。湾曲した装入物支持表面１４は円筒状容器（ドラム）の完全に内部に配置されそして全体に水平なベース板２２が容器の長手軸線１８に平行に延在する平面に載るように湾曲した装入物支持表面１４に隣り合って位置付けられている。図２に明示されるように、振動式タンブリング装置１０は容器１２が装入物投入端２４とそこから軸線方向に離間した装入物放出端２６とを備えるようなものである。
【００２１】
図２及び３に明示されるように、振動式タンブリング装置１０は、容器１２を設置表面３２に対して弾力的に取付けるためのばね２８及び３０のような手段を含んでいる。全体を３４で示される振動発生手段が、直線路３６に沿って差し向けられる振動力を発生せしめるために設置される。直線路３６は、長手軸線１６及び１８（これらは、好ましい具体例では、全体に水平であるが下方に傾斜している）からだけでなく、容器の重心２０からも外れている。これにより、振動力は容器内の装入物を湾曲した装入物支持表面１４に対して上方に且つ前方に移動せしめる。この態様で、装入物は、図４に矢印３８により表されるように、転動移動行路において容器の装入物投入端から装入物放出端に向かう方向に差し向けられる。
【００２２】
特に図３及び４を参照すると、振動式タンブリング装置１０は、装入物が転動移動行路に沿って移動するに際して装入物の転動を促進するために振動発生手段３４により発生せしめられる力に加えて装入物に力を適用するための転動補助手段４０を含むことが見られる。転動補助手段は好ましくは全体的に水平面において装入物に運動エネルギーを付与するための手段を備える。この水平面は、湾曲した装入物支持表面１４の全体に水平であるが下方に傾斜する長手軸線１６にほぼ平行であることが理解されよう。特には、この運動エネルギー付与手段は有益には、装入物が図４に矢印３８により表される移動行路に沿って移動するに際して少なくとも一つの位置からほぼ水平面において予備選択された弧形４６の範囲内で４４のような噴射模様をなして装入物にショットを差し向けるための一つ以上のショットブラスト機構４２を含んでいる。
【００２３】
理解されるように、噴射模様４４をなしてのショットは全体に水平であるが下方に傾斜した長手軸線１６及び１８の方向にほぼ垂直であるがそれらから外れて伸延する少なくとも主たる成分を有するように投射（噴射）される。
【００２４】
別様には、図示してはいないが、運動エネルギー付与手段は装入物を液体で処理し同時に装入物に運動エネルギーを付与することが特に有益であるような或る種の用途に対してはショットの代りに液体噴流を装入物に噴射するための一つ以上の液体噴射機構の形態を取りうる。
【００２５】
図３を参照すると、振動式タンブリング装置１０は、ベース板２２における複数のショット落下穴４８と円筒状容器の底部における、即ち底における若しくは底の近傍における放出開口４９とを含み、そしてショットコンベヤ５０が円筒状容器１２の外側で放出開口４９の下側に配置されることが理解されよう。ここで図４を参照すると、ショットコンベヤ５０は都合良くは、円筒状容器１２から一つ以上のショットブラスト機構４２と連通する、再使用可能なショットから例えば砂や破砕したショットを分離するためのショット分離手段５２まで延在する少なくとも一つの部分５０ａを含む。
【００２６】
本発明の最も有益な用途において、装入物は砂５４及び鋳物５６を含み、これらは装入物投入端２４から装入物放出端２６間で容器１２を通して移動するに際して転動せしめられる。理解されるように、鋳物５６は湾曲した装入物支持表面１４に対して上方且つ前方に昇り、ここで一般に鋳物の重心５８より下側の地点で鋳物に衝突するようにショットブラスト機構４２から噴射模様４４におけるようにして差し向けられるショットにより打ち当てられ、それによりその転動作用を著しく促進する。
【００２７】
これに関して、ショットブラスト機構４２からのショット（別様には液体噴射機構からの液体）の運動エネルギーは、振動発生手段３４が鋳物を上方且つ前方に押しやるに際して鋳物５６を湾曲した装入物支持表面１２に押し当てて反転作用を生み出す。鋳物用途に対しては、振動発生手段３４とショットブラスト機構４２との組み合わせ作用により創出される反転作用は鋳物が容器の装入物投入端２４から装入物放出端２６まで移動する間に鋳物の全表面を処理のためショットに曝露せしめる。
【００２８】
図３を参照すると、振動力の直線路３６は、重心２０の、円筒状容器１２の長手軸線１８とは反対側を通り、湾曲した装入物支持表面１４における各点を或る一つの円の円弧部分に載る行路に沿って回動せしめる。これら円の円弧部分の各々は長手軸線１８とはずれたそして重心２０とは反対側の位置に位置付けられる６０において示されるような回転中心を有するので、これら円の円弧部分は湾曲した装入物支持表面１４に沿わない、即ち合致しない。更に、追加的に、円弧部分の各々の回転中心６０は振動力の直線路３６に一般に直角に伸びそして円筒状容器１２の重心２０を通る直線上に載ることが理解されよう。
【００２９】
振動タンブリング装置１０の他の詳細に関しては、弾力取付け手段即ちばね２８及び３０は好ましくは、円筒状容器１２を無拘束振動運動しうるように取付ける。図２からまた、円筒状容器１２の一端における３０のようなばねは好都合には当業者に知られる型式の空圧ばねの形態をとる。これらばね３０は円筒状容器１２の装入物投入端２４に対する装入物放出端２６の高さ乃至ピッチを変更するように膨張及び収縮されうる。かくして、円筒状容器を長手軸線１６及び１８を水平面に対して下方に傾斜せしめるように位置決めすることが可能である。こうして、一般的には、円筒状容器１２の装入物放出端２６は装入物投入端２４より下方の高さ水準とされて装入物投入端から装入物放出端に向けての装入物の流動を促進する。
【００３０】
図１及び２に示されるように、振動式タンブリング装置１０は、砂及び鋳物のような装入物を円筒状容器１２内に装入物受け取り窓乃至口６４を通して送り込むための６２として示すようなコンベヤを含む。円筒状容器の反対側の装入物放出端２６には、放出された砂や鋳物のような装入物を装置から離れて搬出するために本件出願人の米国再発行特許第Ｒｅ．３３，５４２号及び米国特許第４，９２６，６０１号に例示されるような適当な窓乃至口が設けられうる。或る種の用途に適当でありうる別法としては、放出或いは出口窓乃至口が円筒状容器の低い地点を通しての砂及び／または鋳物の通過のために位置付けられうる。
【００３１】
図３を参照すると、振動式タンブリング装置１０は、或る種の用途に対しては、一つ以上の真空排気口６６を装備するように構成されることが有益である。排気口６６は代表的には円筒状容器の上部に設置されそして図４に示されるように一つは容器１２の中点にそしてもう一つは装入物放出端近くに設けるのが好都合である。理解されるように、排気口６６は容器内での例えば砂や鋳物の転動により生じる粉塵を除去するために真空系統と操作上関連せしめられる。
【００３２】
好ましい具体例において、振動式タンブリング装置１０は、少なくとも湾曲した装入物支持表面１４と水平ベース板２２とがマンガンでめっきされるように構成される。これはこれら部品と接触する偏向ショットの衝撃に対する充分な耐性を与えるためになされる。有益には、円筒状容器の内面はこの同じ目的を達成するために少なくとも衝撃を受ける可能性のある領域においてマンガンでめっきされる。
【００３３】
ショットブラスト機構４２の細部については、これら装置はモータ７０により駆動されるホイール６８の形態をとり、ここにショットはショット分離機構５２からチューブ７２を通して供給される。ショットブラスト機構の特定の型式は重要ではないが、米国インヂアナ州のホイールアブレータ−フライ社（Wheelabrator-Frye, Inc. ）により商品名「Wheelabrator Super II Tumblast」として販売される製品が極めて適していることが見出された。この型式のショットブラスト機構を使用すると、４６におけるようなショットブラスト弧形を予備選択することができそして用途に応じて変更することができそしてチューブ７２内部のショットの充填長さを制御することができる。
【００３４】
ショット分離機構５２については、これはショットコンベヤによりそこに運ばれてきた破砕したショットやショットピース及び砂の磁気分離或いは空気分離いずれかを達成するように作動可能な型式のものでありそしてやはり上記ホイールアブレータ−フライ社（Wheelabrator-Frye, Inc. ）により広く販売されている型式のものを使用することができる。
【００３５】
図３に示されるように、ショットブラスト機構４２は代表的に各々円筒状容器の側面を貫通する開口７６と直結している口７４を含んでいる。開口７６は一般にベース板２２の高さにおける最下点からその上方の周回的に離間した点まで延在する。この態様で、ショットブラスト機構４２は、砂５４や鋳物５６のような装入物が湾曲した装入物支持表面１４を上方且つ前方に昇るに際して装入物に向けてその重心（鋳物の重心５８）より下側の点においてショットを差し向けることができる。
【００３６】
振動発生手段３４の作動については、本件出願人の米国再発行特許第Ｒｅ．３３，５４２号及び米国特許第４，９２６，６０１号に詳しく記載されているので、詳細はそれらを参照されたい。
【００３７】
【発明の効果】
本発明を使用して、高温の砂及び鋳物のような部品を、必要なら加工媒体と共に円筒状容器に直接送ることが可能であるから、鋳造プロセスに続いての時間の中断は必要とされない。逆に、鋳物並びに周囲に付着する媒体（砂）は冷却のため等の待ち時間なく容器内部で追加処理されうる。加えて、ショットブラスト機構を使用することにより、転動及び反転作用が著しく増進され、従って鋳物の表面全体を処理することができる。つまり、振動式タンブリング装置と組み合わせてショットブラスト機構を利用することにより、鋳物の清掃及び磨き仕上げも著しく増進される。本件出願人の米国再発行特許第３３，５４２号及び米国特許第４，９２６，６０１号は斯界での意義ある進展を代表するが、本発明は、湾曲した装入物支持表面の軸線に平行な水平面において砂及び鋳物のような装入物の移動方向に沿って装入物に運動エネルギーを付与することにより更に一層の改善を与えるものである。ショットブラス機構により装入物に供給される力は振動発生手段により発生せしめられる力と協動して装入物がその移動路に沿って移動するに際して装入物の転動を促進する。
【００３８】
本発明の好ましい具体例について説明したが、本発明の範囲内で多くの変更をなしうることを銘記されたい。
【図面の簡単な説明】
【図１】本発明に従う振動式タンブリング装置の端面図である。
【図２】図１の本発明に従う振動式タンブリング装置の正面図である。
【図３】図２の３−３線に沿う断面図である。
【図４】図１の本発明に従う振動式タンブリング装置の上面図である。
【符号の説明】
１０  振動式タンブリング装置
１２  容器
１４  装入物支持表面
１６  装入物支持表面長手軸線
１８  容器長手軸線
２０  重心
２２  ベース板
２４  装入物投入端
２６  装入物放出端
２８、３０  ばね
３４  振動発生手段
３８  直線路
４０  転動補助手段
４２  ショットブラスト機構
４４  噴射模様
４６  弧形
４８  ショット落下穴
４９  放出開口
５０  ショットコンベヤ
５２  ショット分離手段
５４  砂
５６  鋳物
５８  鋳物重心
６０  回転中心
６２  コンベヤ
６４  装入物受け取り窓乃至口
６６  真空排気口
６８  ホイール
７０  モータ
７２  チューブ
【図１】
0003806149.tif 000002
【図２】
0003806149.tif 000003
【図３】
0003806149.tif 000004
【図４】
0003806149.tif 000005